(57)【要約】【課題】収納容器に収納された内容物が加圧吐出部材の加圧によって一定量に供給されるようにすることで、内容物の浪費を低減しながら便利に使用できるばかりでなく、一定量の内容物を供給する構造の簡素化により、生産性の増大及び製造コストの削減で経済性を向上することができる折りたたみ式化粧品容器を提供すること。【解決手段】内容物を収納しながら先端部が開口したチューブタイプの収納容器と、前記収納容器を収容して保護するハウジングと、前記ハウジングの先端から折りたたまれると共に収納容器に収納された内容物を吐出させるように加圧する加圧吐出部と、前記加圧吐出部の加圧によって移動する内容物の加圧で移動しながら、収納容器の先端部に位置する一定量の内容物を吐出させる定量供給部と、を含むことを特徴とする折りたたみ式化粧品容器。【選択図】図１
2019526292.tif 000002
【特許請求の範囲】
【請求項１】
内容物を収納しながら先端部が開口したチューブタイプの収納容器と、前記収納容器を収容して保護するハウジングと、前記ハウジングの先端から折りたたまれると共に収納容器に収納された内容物を吐出させるように加圧する加圧吐出部と、前記加圧吐出部の加圧によって移動する内容物の加圧で移動しながら、収納容器の先端部に位置する一定量の内容物を吐出させる定量供給部と、を含む
ことを特徴とする折りたたみ式化粧品容器。
【請求項２】
前記ハウジングは、前記収納容器を収容する他側の胴体と、前記他側の胴体と結合されて収納容器を保護する一側の胴体と、前記一側の胴体の内部に貫通され、加圧吐出部材が折りたたまれると共に収納容器を加圧するようにする移動案内孔と、を含む
請求項１に記載の折りたたみ式化粧品容器。
【請求項３】
前記加圧吐出部は、前記ハウジングの一側の外周面に対向するように凹入された回転案内溝と、前記回転案内溝に回転案内突起が結合され、加圧吐出部材の移動で吐出案内部材を開閉する回転開閉部材と、前記回転開閉部材に結合され、ハウジングに折りたたまれるように回転しながら収納容器を加圧する加圧吐出部材と、を含む
請求項１に記載の折りたたみ式化粧品容器。
【請求項４】
前記加圧吐出部材の一側から突き出され、収納容器を加圧する加圧突起をさらに含む
請求項３に記載の折りたたみ式化粧品容器。
【請求項５】
前記加圧突起の加圧力を収納容器に伝達するようにハウジングの一側の胴体に内蔵される加圧力伝達部材をさらに含む
請求項４に記載の折りたたみ式化粧品容器。
【請求項６】
前記定量供給部は、供給案内軸と、前記供給案内軸の両端部から突き出され、内容物の吐出を案内する供給制御部材と、を含む
請求項１に記載の折りたたみ式化粧品容器。
【発明の詳細な説明】
【技術分野】
【０００１】
本発明は、収納容器に収納された内容物が加圧吐出部材の加圧によって一定量に供給されるようにすることで、内容物の浪費を低減することができる折りたたみ式化粧品容器に関する。
【背景技術】
【０００２】
一般的に化粧品には様々な種類があるが、主には、女性の美しさを整えるために用いられるものであり、おしろいとファウンデーション、チークなどを利用したベースメーキャップ化粧品と、アイシャドー、マスカラ、リップグロスなどを利用したポイントメーキャップ化粧品とに仕分けされ、近年では、前記ポイントメーキャップ化粧品が一般の液体化粧品より大分粘度の高い液状に提供される傾向がある。
【０００３】
前記液状の化粧品は、通常チューブや瓶の形で包装及び提供され、使用の際に必要な分だけ注ぐか搾り取って用いるが、この時、適正量を吐出するためには使用者の感覚のみに依存しており、使用者によって押す箇所が一定でないため、一定量の化粧品を吐出して用いるのにかなりの困難が伴うのが実情である。
【０００４】
前記問題点を解決するために、特許文献１には、シリコーン材ポンプで作動するボタン式リップグロス化粧品容器が公開されている。
【０００５】
特許文献１は、押しボタンの加圧で一定量の内容物が吐出されるようにすることで、従来の問題点を解決することができるが、構造が複雑であり、部品数の増加から作業時間が増えることにより、生産性及び経済性に劣るばかりか、使用の便利性に劣るといった問題点があった。
【先行技術文献】
【特許文献】
【０００６】
【特許文献１】韓国公開特許第１０−２０１３−０１１５６７０号
【発明の概要】
【発明が解決しようとする課題】
【０００７】
本発明は、前述の問題点を解決するために見出されたものであり、加圧吐出部材の加圧で収納容器に収納された内容物が一定量ずつ供給されるようにすることにその目的がある。
【０００８】
また、本発明は、一定量の内容物を供給する構造の簡素化により、生産性を増大し、便利に使用できるようにすることにその目的がある。
【課題を解決するための手段】
【０００９】
本発明の折りたたみ式化粧品容器は、内容物を収納しながら先端部が開口したチューブタイプの収納容器と、前記収納容器を収容して保護するハウジングと、前記ハウジングの先端から折りたたまれると共に収納容器に収納された内容物を吐出させるように加圧する加圧吐出部と、を含む。
【００１０】
前記ハウジングは、前記収納容器を収容する他側の胴体と、前記他側の胴体と結合されて収納容器を保護する一側の胴体と、前記一側の胴体の内部に貫通され、加圧吐出部材が折りたたまれると共に収納容器を加圧するようにする移動案内孔と、を含む。
【００１１】
前記加圧吐出部は、前記ハウジングの一側の外周面に対向するように凹入された回転案内溝と、前記回転案内溝に回転案内突起が結合され、加圧吐出部材の移動で吐出案内部材を開閉する回転開閉部材と、前記回転開閉部材に結合され、折りたたまれると共に収納容器を加圧する加圧吐出部材と、を含む。
【００１２】
前記加圧吐出部材の一側から突き出され、収納容器を加圧する加圧突起をさらに含む。
【００１３】
前記加圧突起の加圧力を収納容器に伝達するようにハウジングの一側の胴体に内蔵される加圧力伝達部材をさらに含む。
【００１４】
前記加圧吐出部の加圧によって移動する内容物の加圧で移動しながら、収納容器の先端部に位置する一定量の内容物を吐出させる定量供給部をさらに含む。
【発明の効果】
【００１５】
本発明によると、収納容器に収納された内容物が加圧吐出部材の加圧によって一定量に供給されるようにすることで、内容物の浪費を低減しながら便利に使用できるといった効果がある。
【００１６】
また、本発明によると、一定量の内容物を供給する構造の簡素化により、生産性の増大及び製造コストの削減で経済性を向上することができるといった効果がある。
【図面の簡単な説明】
【００１７】
【図１】本発明の折りたたみ式化粧品容器の斜視図
【図２】本発明の折りたたみ式化粧品容器の分離斜視図
【図３】本発明の折りたたみ式化粧品容器の断面図
【図４】本発明の折りたたみ式化粧品容器の使用状態図
【図５】本発明の折りたたみ式化粧品容器の使用状態図
【図６】本発明の折りたたみ式化粧品容器の使用状態図
【図７】本発明の折りたたみ式化粧品容器の使用状態図
【発明を実施するための形態】
【００１８】
以下、本発明の属する技術分野における通常の知識を有する者が容易に実施できるように、本発明の実施例について、添付の図面を参照しながら詳しく説明する。しかしながら、本発明は様々な形態で具現されることができ、ここで説明する実施例に限定されるものではない。
【００１９】
図１は、本発明の折りたたみ式化粧品容器の斜視図であり、図２は、本発明の折りたたみ式化粧品容器の分離斜視図である。
【００２０】
本発明の折りたたみ式化粧品容器１００は、収納容器１１０と、ハウジング１２０と、加圧吐出部１３０とを含む。
【００２１】
前記収納容器１１０は、内容物を収納する構成であって、容器胴体１１１と、吐出案内部材１１４とを含む。
【００２２】
前記容器胴体１１１は、先端部１１２が開口されながら、内部に内容物が収納される空間が凹入される。
【００２３】
前記容器胴体１１１の一側から突き出され、ハウジング１２０の結合空間に結合される結合部材１１３をさらに含む。
【００２４】
前記吐出案内部材１１４は、容器胴体１１１の先端部１１２に装着され、内部に貫通された通孔１１４´から内容物が供給されるようにする。
【００２５】
前記ハウジング１２０は、前記収納容器１１０を収容して保護する構成であって、他側の胴体１２１と、一側の胴体１２２と、移動案内孔１２３とを含む。
【００２６】
前記他側の胴体１２１は、内部が凹入されて前記収納容器１１０を収容する。
【００２７】
前記一側の胴体１２２は、前記他側の胴体１２１と結合して収納容器１１０を保護する。
【００２８】
前記移動案内孔１２３は、前記一側の胴体１２２の内部に貫通され、加圧吐出部材１３３が折りたたまれると共に収納容器１１０の加圧を案内する。
【００２９】
前記一側の胴体１２２の一側には、収納容器１１０の結合部材１１３が結合されて流動を防止する結合空間１２４をさらに含む。
【００３０】
前記加圧吐出部１３０は、前記ハウジング１２０の先端部から折りたたまれると共に内容物を加圧して吐出する構成であって、回転案内溝１３１と、回転開閉部材１３２と、加圧吐出部材１３３とを含む。
【００３１】
前記回転案内溝１３１は、前記ハウジング１２０の一側の外周面に対向するように凹入されて回転開閉部材１３２の回転を案内することができるが、前記回転開閉部材１３２の回転を案内できるように貫通されて形成されてもよい。
【００３２】
前記回転開閉部材１３２は、前記回転案内溝１３１に回転案内突起１３２´が結合され、加圧吐出部材１３３の移動で吐出案内部材１１４を開閉させる。
【００３３】
前記加圧吐出部材１３３は、前記回転開閉部材１３２に結合され、ハウジング１２０に折りたたまれるように回転しながら収納容器１１０を加圧する構成であって、一側に加圧突起１３４が突き出されて収納容器１１０を容易に加圧することができる。
【００３４】
前記加圧突起１３４の加圧力を収納容器１１０へ均一に伝達するように、ハウジング１２０の一側の胴体１２２に内蔵される加圧力伝達部材１３５をさらに含み、前記加圧力伝達部材１３５の一側から突き出され、ハウジング１２０の移動案内孔１２３に結合される加圧力伝達突起１３６をさらに含む。
【００３５】
また、前記加圧吐出部１３０の加圧で移動しながら、収納容器１１０の先端部に位置する一定量の内容物を吐出させる定量供給部１４０をさらに含む。
【００３６】
前記定量供給部１４０は、供給案内軸１４１と、供給制御部材１４２とを含む。
【００３７】
前記供給案内軸１４１は、前記吐出案内部材１１４の内部を移動する長さで形成される。
【００３８】
前記供給制御部材１４２は、前記供給案内軸１４１の両端部に外向に突き出され、吐出案内部材１１４の通孔１１４´の両側を開閉しながら内容物の吐出を案内する。
【００３９】
次いで、前述のように構成された本発明の結合及び使用過程を説明する。
【００４０】
まずは、図３のように、供給案内軸１４１の両端部に供給制御部材１４２が突き出された定量供給部１４０を吐出案内部材１１４の通孔１１４´に結合する。この時、前記通孔１１４´に結合された定量供給部１４０は、自重で下降しながら供給案内軸１４１の上端部に位置する供給制御部材１４２が通孔１１４´の上部を閉鎖すると同時に、供給案内軸１４１の下端部に位置する供給制御部材１４２は、通孔１１４´の下部を開放するようになる。
【００４１】
また、前記定量供給部１４０が結合された吐出案内部材１１４を一定量の内容物が容器胴体１１１に収納された収納容器１１０の開口した先端部１１２に結合すると、前記吐出案内部材１１４の外周面に突き出されたシーリング突起（図示せず）が先端部１１２の内周面に密着されながら堅固に結合され、前記吐出案内部材１１４の上端部の底面が収納容器１１０の先端部１１２の上面に安着される。
【００４２】
前記吐出案内部材１１４が結合された収納容器１１０をハウジング１２０の他側の胴体１２１に安着させた後、前記他側の胴体１２１に一側の胴体１２２を結合して固定するが、前記他側の胴体１２１と一側の胴体１２２とのうちいずれか一方の胴体から突き出された弾性突起１２１´が他方の胴体に凹入された突起結合溝１２２´に装着されて結合することで、ハウジング１２０が収納容器１１０を保護することができる。
【００４３】
前記収納容器１１０がハウジング１２０に結合されると、ハウジング１２０の一側の胴体１２２の先端部に加圧吐出部１３０を設置して吐出案内部材１１４の通孔１１４´を閉鎖するが、前記加圧吐出部１３０は、回転開閉部材１３２の回転案内軸１３２´をハウジング１２０の一側の胴体１２２の先端部に凹入された回転案内溝１３１に結合すると同時に、回転開閉部材１３２の内面が吐出案内部材１１４の通孔１１４´を閉鎖するようになる。
【００４４】
また、前記回転開閉部材１３２の外周面で加圧吐出部材１３３を結合すると、本発明の化粧品容器１００の結合が終了するが、前記回転開閉部材１３２の外周面と加圧吐出部材１３３の内周面とのいずれか一方には突起１３３ａが形成され、他方には溝１３３ｂが形成されることで、前記突起１３３ａ及び溝１３３ｂは、締まりばめに結合されて分離されないか、あるいは突起にホックを形成することで溝に結合された時、分離されないのは無論のこと、前記回転開閉部材１３２と加圧吐出部材１３３とを融着して固定させることもできる。
【００４５】
そして、前記回転開閉部材１３２に結合された加圧吐出部材１３３は、ハウジング１２０の一側の胴体１２２の外面に密着されているので、後方に回転されることなく次の動作を待機する。
【００４６】
前記過程によって結合された本発明の化粧品容器１００を用いるためには、図４のように、加圧吐出部１３０の加圧吐出部材１３３を前方に移動させる。
【００４７】
この時、前記加圧吐出部材１３３及び前記加圧吐出部材１３３に結合された回転開閉部材１３２は、回転案内溝１３１に結合された回転案内軸１３２´を中心として前方に折りたたまれるように回転すると同時に、前記回転開閉部材１３２が吐出案内部材１１４から離脱されることで、前記吐出案内部材１１４は開放された状態となる。
【００４８】
前記回転開閉部材１３２が吐出案内部材１１４から離脱された状態でも、回転開閉部材１３２が前方に折りたたまれて加圧吐出部材１３３がハウジング１２０の一側の胴体１２２の前方に位置すると同時に、加圧吐出部材１３３の加圧突起１３４は、一側の胴体１２２の移動案内孔１２３を経由して収納容器１１０の容器胴体１１１の一面又は加圧力伝達部材１３５の加圧力伝達突起１３６に密着される。
【００４９】
この状態で加圧吐出部材１３３を加圧すると、前記加圧吐出部材１３３の加圧突起１３４が容器胴体１１１又は加圧力伝達部材１３５の加圧力伝達突起１３６を加圧すると同時に、加圧突起１３４の加圧力によって容器胴体１１１に収納された内容物が吐出案内部材１１４に移動しながら、内容物の一部は吐出案内部材１１４の通孔１１４´に吐出されると同時に、内容物の一部は定量供給部１４０の供給案内軸１４１の下端部に位置する供給制御部材１４２を加圧する。
【００５０】
この時、下端部の供給制御部材１４２が形成された供給案内軸１４１は、吐出案内部材１１４の通孔１１４´に沿ってハウジング１２０の外側に移動しながら、供給案内軸１４１の上端部に位置する供給制御部材１４２が通孔１１４´の上端部に移動することで通孔１１４´の上端部を開放させる。
【００５１】
前記開放された通孔１１４´から収納容器１１０の先端部に位置する、吐出された内容物を用いることができる。
【００５２】
前記収納容器１１０の先端部に位置する内容物が吐出されることで、下端部の供給制御部材１４２が吐出案内部材１１４の通孔１１４´を閉鎖させながら内容物の吐出を停止させるため、一定量の内容物のみを吐出することができ、吐出された内容物を用いることができる。
【００５３】
ここで、前記加圧吐出部材１３３の加圧突起１３４が収納容器１１０を加圧する際に、図５ないし図６のように、前記収納容器１１０の一面を均一に加圧することができるようにハウジング１２０の一側の胴体１２２の内部に加圧力伝達部材１３５を内蔵することで、下端部の供給制御部材１４２が吐出案内部材１１４の通孔１１４´を閉鎖させる前まで収納容器１１０の先端部に位置し、吐出される一定量の内容物を用いることができる。
【００５４】
前記加圧力伝達部材１３５は、移動案内孔１２３に移動する加圧突起１３４の加圧による加圧突起１３４の加圧力を収納容器１１０に伝達できるように、収納容器１１０の一面に密着されるように形成されることが好ましい。
【００５５】
また、前記加圧力伝達部材１３５は、収納容器１１０の下端部から加圧できるように、上端部よりも下端部がさらに突き出されるように湾曲して形成され、前記加圧突起１３４の加圧力が解除されると、前記加圧力伝達部材１３５の一面に突き出された加圧案内突起１３６が移動案内孔１２３に結合されることで、加圧力伝達部材１３５の流動を防止することができる。
【００５６】
前記過程によって吐出案内部材１１４から一定量吐出される内容物を用いた後、収納容器１１０の加圧力が解除されると、図７のように、定量供給部１４０の供給案内軸１４１は、収納容器１１０が復元されると同時に収納容器１１０の復元力で下降しながら、供給案内軸１４１の下端部に位置する供給制御部材１４２は、通孔１１４´の下部を開放すると同時に上端部に位置する供給制御部材１４２の上部を閉鎖する。
【００５７】
この状態で、前記加圧吐出部１３０の加圧吐出部材１３３を折りたたんだ反対方向に移動させると、前記加圧吐出部材１３３及び前記加圧吐出部材１３３に結合された回転開閉部材１３２は、回転案内溝１３１に結合された回転案内軸１３２´を中心として後方に回転しながら回転開閉部材１３２が吐出案内部材１１４の通孔１１４´を閉鎖すると同時に、加圧吐出部材１３３は、ハウジング１２０の一側の胴体１２２に密着されながら次の動作を待機するようになる。
【００５８】
以上のように、本発明は、限定された実施例及び図面によって説明されているものの、本発明は、前記実施例に限定されるものではなく、本発明の属する技術分野における通常の知識を有する者であれば、このような記載から様々な修正及び変形が可能であるといえる。
【００５９】
それ故に、本発明の範囲は、説明された実施例に限定されて定められるべきでなく、後述する特許請求の範囲のみならず、この特許請求の範囲と均等なものなどによって定められる。
【００６０】
発明の実施のための形態は、前記発明を実施するための形態に併せて記述された。
【産業上の利用可能性】
【００６１】
本発明は、折りたたみ式化粧品容器に関し、各種の化粧品容器に適用可能であり、繰り返し可能性があるので産業上の利用可能性がある。
【図１】
2019526292.tif 000003
【図２】
2019526292.tif 000004
【図３】
2019526292.tif 000005
【図４】
2019526292.tif 000006
【図５】
2019526292.tif 000007
【図６】
2019526292.tif 000008
【図７】
2019526292.tif 000009
【国際調査報告】
2019526292.tif 000010
2019526292.tif 000011
2019526292.tif 000012
2019526292.tif 000013